(57)【要約】      （修正有）【課題】着用したままで飲食が可能で、感染リスクの高い鼻部分が保護され、更に、保護フェイスシールドが設置可能な特別構造体のマスクを提供する。【解決手段】マスクは、着用したままの会話や飲食を可能にするために、マスク内側の口に当たる周囲の鼻孔の下と唇の上方部間に特別フィルタリング機能付きコンビネーションボードを設け、鼻部分の露出を遮断して鼻だけを保護する特別構造体にして、また、着用者の口部分でも飛沫やウイルスなど侵入を抑制するため、手動式レバレッジ原理の透明保護フェイスシールド５がマスクの構造に設けた耳紐１１と固定された板の端にある接続ポートに挿入して装着でき、透明保護フェイスシールド５が自由に開けられる。【選択図】図１
0003235229.tif 000002
【実用新案登録請求の範囲】
【請求項１】
マスク内側の口に当たる周囲の鼻孔の下と唇の上方部間に特別隔離レイヤーを設けって、（図１参考）鼻部分の露出を遮断する鼻だけを保護する特別構造体にしたマスク。
【請求項２】
着用者の口部分で飛沫やウイルスなど侵入を抑制するため、手動式レバレッジ原理の透明保護フェイスシールドがマスクの耳紐と隔離レイヤーで固定された板の端に設けた接続ポートに挿入して結合し、一体化にする立体構造のマスク。
【考案の詳細な説明】
【技術分野】
【０００１】  マスクが装着したまま飲食できる飛沫捕集、快適なマスクに関するものである。
【背景技術】
【０００２】  感染予防として、一般に、飲食店など人の集まるところで、感染予防にも役に立つ装着したままの飲食できる快適なマスク構造に関するものである。
【先行技術文献】
【実用文献１】
【０００３】  実用新案整理番号ＤＦ−２０２１Ｅ１７８
【考案の概要】
【考案が解決しようとする課題】
【０００４】  新型コロナウイルスの感染予防として日本では厚労省はじめマスクの着用が推奨されています、新型コロナウイルスは症状がない感染者が感染させるのが特徴と見られます。公共の場におけるマスクの着用は感染拡大防止に効果が確実にあるといっても過言ではありません。さって、飲食中も会話する時はマスクを着けたり外したりするのは非常に面倒であることは大きい問題である。【０００５】  従来、マスクを着用したまま飲食する際は、マスクの口当たり部分が開けたり移動したりする面倒な手間がかかること、また、鼻部分が容易に露出し、飛沫を吸い込みするとウイルスに感染にやすい課題としている。【０００６】  本考案は従来関連技術の有するこのような問題点に鑑み、マスクを着用したまま飲食時に着用者本人と他人からの飛沫拡散を阻止しながら、気にせずに快適食事を楽しむことができるように課題としている。【０００７】  また、上記の課題解決を持つ飛沫発散を抑制可能、且つ、小型コンパクトな簡単に携帯、着用マスクを実現する課題となっている。【０００８】  更に、コストが安い、ファッション性も高いマスクを実現する課題となっている。
【課題を解決するための手段】
【０００９】  従来、マスクを着用したまま飲食する際はマスクの口当たり部分が開けたり移動したりすると、人が感染しやすい鼻部分が容易に露出すると言うことを防ぐため、マスク内側の鼻孔の下と唇の上方部間に特別隔離レイヤーを設けって、鼻部分の露出を遮断して飲食続けることが可能にする［鼻マスク］とした課題を解決手段としている。【００１０】  また、口部分において、飛沫やウイルスなど侵入を抑制する手段として、本マスクは耳紐と隔離レイヤーで固定された板の端に、手動式レバレッジ原理の透明保護フェイスシールドを設けることによって、他人が排出した飛沫の経口侵入を抑制と同時、着用者自身の飛沫も最大限に捕集する手段を取っている。【００１１】  小型コンパクトな携帯が便利マスク形成ため、マスクの内側（図３参考）粘着デープと分離ラミネートが簡単に接着できる、また、本マスクの隔離レイヤーで固定された板の端に、（図１参考）手動式レバレッジ原理の透明保護フェイスシールドも簡単に装着でき、マスクが装着したままでも飲食出来る手段を取っている。
【考案の効果】
【００１２】  これまで人々は飲食や会話する時もマスクを着けたり外したり面倒な手間がかかる、また、鼻が露出でウイルスに感染リスク高いと言う二つ大きい問題があるため、飲食中に伴う感染拡大防止の効果は期待が難しいとされている。本考案構成された全新一体化飲食専用のマスクは、人が着用したまま飲食が可能で、また、感染リスクの高い鼻部分も保護され、手動式レバレッジ原理に基づく透明保護フェイスシールド構造体に設けたことで、指が軽く押すだけで保護フェイスシールドが開かれて、飲食が障碍なく楽に出来ます。そして、最も重要は、マスク着用者自身が排出した飛沫も最大限に捕集すると伴に、他人が放出した飛沫の経口侵入も抑制することが実現し、より快適、便利に着用飲食ための専用マスクが出来ることになった。今後において、一般普及することによって、特に人が密集する飲食店など飛沫拡大感染のリスクを最小化目標達成に明らかな結果があると確信している。
【図面の簡単な説明】
【００１３】
【図１】本考案の側面透視図である
【図２】本考案した正面図である。
【図３】本考案の内側構造体を見下ろす図である。
【考案を実施するための形態】
【００１４】  従来、マスクを着用したまま飲食する際はマスクの口当たり部分が開けたり移動したりすると、人が一番感染しやすい鼻部分が容易に露出することを防ぐ手段として、マスク内側の鼻孔の下と唇の上方部間に特別隔離レイヤーを設けって、鼻部分の露出を遮断する構造体にした形態を実施する。
【００１５】  口部分で飛沫やウイルスなど侵入を防止する手段として、本マスクは耳紐と隔離レイヤーで固定された板の端に、手動式レバレッジ原理の透明保護フェイスシールド構造体を設けることの形態を実施する。
【産業上の利用可能性】
【００１６】  本考案の背景は、新型コロナウイルスの感染予防として日本では厚労省はじめマスクの着用が推奨されています、新型コロナウイルスは症状がない感染者が感染させるのが特徴と見られます。公共の場におけるマスクの着用は感染拡大防止に効果が確実にあるといっても過言ではありません。しかし、これまで人々は飲食や会話する時もマスクを着けたり外したり面倒な手間がかかると鼻が露出でウイルスに感染リスク高いと言う二つ大きい問題があると知られ、飲食中に感染拡大防止の効果は低いとされている。本考案の特別構成した全新一体化飲食専用のマスクは、人々が着用したままで飲食が可能、感染リスクの高い鼻部分も保護され、また、手動式レバレッジ原理に基づく透明保護フェイスシールド構造体を設けることで、指が軽く押すだけで保護フェイスシールドが開かれて、飲食が障碍なく、楽に出来ます。そして、最も重要なのは、マスク着用者自身が経口排出した飛沫も捕集可能と伴に、他人が放出した飛沫の経口侵入も抑制する飲食ための専用マスクとして、今後、特に人が密集する飲食店などに置いて、飛沫拡大感染リスクを最小化達成に大きく貢献が出来ると確信している。
【符号の説明】
【００１７】１  マスク本体材質部分
２  隔離レイヤー部
３  透明フェイスシールドを固定フレーム
４  調整器
５  透明保護フェイスシールド
６  コネクティングロッド
７  コネクティングロッドハンドル
８  コネクティングロッド
９  受力固定柱
１０  受力固定柱
１１  紐
１２  マスク内側に定型材料
１３  空間
１４  鼻の位置
１５  粘着材料
１６  受力固定柱
１７  マスク折りたたみ部分
【図１】
0003235229.tif 000003
【図２】
0003235229.tif 000004
【図３】
0003235229.tif 000005
【手続補正書】
【提出日】令和3年4月12日(2021.4.12)
【手続補正１】
【補正対象書類名】明細書
【補正対象項目名】全文
【補正方法】変更
【補正の内容】
【考案の詳細な説明】
【技術分野】
【０００１】  マスクが装着したまま飲食できる、快適なマスクに関するものである。
【背景技術】
【０００２】  感染予防として、一般に、飲食店など人の集まるところで、感染予防にも役に立つ装着したままの飲食できる快適なマスク構造に関するものである。
【先行技術文献】
【実用文献１】
【０００３】  実用新案整理番号ＤＦ−２０２１Ｅ１７８
【考案の概要】
【考案が解決しようとする課題】
【０００４】    新型コロナウイルスの感染予防として日本では厚労省はじめマスクの着用が推奨されています、新型コロナウイルスは症状がない感染者が感染させるのが特徴と見られます。感染医学観点から一般に感染経路は咳や会話によって生じる「しぶき」を吸うことによる飛沫感染の主体である、従って、公共の場におけるマスクの着用は感染拡大防止に一定な効果があると知らされている。【０００５】  従来、マスクを着用したまま飲食する際は、マスクの口当たり部分が開けたり移動したりする面倒な手間がかかること、また、鼻部分が容易に露出し、飛沫を吸い込みするとウイルスに感染にやすい課題としている。【０００６】  本考案は従来関連技術の有するこのような問題点に鑑み、マスクを着用したまま飲食時に着用者本人と他人からの飛沫拡散を阻止しながら、気にせずに快適食事を楽しむことができるように課題としている。【０００７】  上記の課題解決に当たって、又は、鼻の花粉吸うことによるアレルギー防止、ウイルスが混じり込み飛沫発散を抑制可能。且つ、小型コンパクトな簡単に携帯、着用マスクを実現する課題となっている。【０００８】  更に、コストが安い、ファッション性高いマスクを実現する課題である。
【課題を解決するための手段】
【０００９】    従来、マスクを着用したまま飲食する際はマスクの口当たり部分が開けたり移動したりすると、人が感染しやすい鼻部分が容易に露出すると言うことを防ぐため、マスク内側の鼻孔の下と唇の上方部間に特別フィルタリング機能付きコンビネーションボードを設けって、鼻部分の露出を遮断して飲食続けることが可能にする［鼻マスク］とした課題を解決手段としている。【００１０】    また、さらなる効果を実現することでは、飛沫やウイルスなど経口侵入を抑制する手段として、本マスクは耳紐と隔離レイヤーで固定された板の端に、手動式レバレッジ原理の透明保護フェイスシールドを設けることによって、他人が排出した飛沫の経口侵入を抑制と同時、着用者自身の飛沫も最大限に捕集する手段を取っている。【００１１】    小型コンパクトな携帯が便利マスク形成ため、マスクの内側（図３参考）粘着デープとフィルタリング機能付きコンビネーションボードが簡単に接着できる、また、本マスクの隔離レイヤーで固定された板の端に、（図１参考）手動式レバレッジ原理の透明保護フェイスシールドも簡単に装着でき、マスクが装着したままでも飲食出来る手段を取っている。
【考案の効果】
【００１２】    これまで人々は飲食や会話する時もマスクを着けたり外したり面倒な手間がかかる、また、鼻が露出でウイルスに感染リスク高いと言う二つ大きい問題があるため、飲食中に伴う感染拡大防止の効果は期待が難しいとされている。本考案構成された全新一体化飲食専用のマスクは、人が着用したまま飲食が可能で、感染リスクの高い鼻部分も保護されます。また、口当たりところに手動式レバレッジ原理に基づく透明保護フェイスシールド構造体に設けたことで、指が軽く押すだけで保護フェイスシールドが開かれて、飲食が障碍なく楽に出来ます。そして、最も重要は、マスク着用者自身が排出した飛沫も最大限に捕集すると伴に、他人が放出した飛沫の経口侵入も抑制することが実現し、飲食ための使えるマスクである。又、他の場合、鼻による花粉吸うよるアレルギー防止にも利用が可能である。小型コンパクトな携帯便利なマスクを実現する課題となっている。今後、一般普及することによって、人が密集する飲食店など飛沫拡大感染のリスクを最小化目標達成に明らかな結果があると確信している。
【図面の簡単な説明】
【００１３】
【図１】本考案の側面透視図である
【図２】本考案した正面図である。
【図３】本考案の内側構造体を見下ろす図である。
【考案を実施するための形態】
【００１４】    従来、マスクを着用したまま飲食する際はマスクの口当たり部分が開けたり移動したりすると、人が一番感染しやすい鼻部分が容易に露出することを防ぐ手段として、マスク内側の鼻孔の下と唇の上方部間に特別フィルタリング機能付きコンビネーションボードを設けって、鼻部分の露出を遮断する構造体にした形態を実施する。
【００１５】    口部分で飛沫やウイルスなど侵入を防止する手段として、本マスクは耳紐と隔離レイヤーで固定された板の端に、手動式レバレッジ原理の透明保護フェイスシールド構造体を設けることの形態を実施する。
【産業上の利用可能性】
【００１６】    本考案の背景は、新型コロナウイルスの感染予防として日本では厚労省はじめマスクの着用が推奨されています、新型コロナウイルスは症状がない感染者が感染させるのが特徴と見られます。公共の場におけるマスクの着用は感染拡大防止に効果が確実にあるといっても過言ではありません。しかし、これまで人々は飲食や会話する時もマスクを着けたり外したり面倒な手間がかかると鼻が露出でウイルスに感染リスク高いと言う二つ大きい問題があると知られ、飲食中に感染拡大防止の効果は低いとされている。本考案の特別構成した全新一体化飲食専用のマスクは、着用したままで飲食が可能、感染リスクの高い鼻部分も保護され、また、手動式レバレッジ原理に基づく透明保護フェイスシールド構造体を設けることで、指が軽く押すだけで保護フェイスシールドが開かれて、飲食が障碍なく、楽に出来ます。そして、最も重要なのは、マスク着用者自身が経口排出した飛沫も捕集可能と伴に、他人が放出した飛沫の経口侵入も抑制する飲食ための専用マスクとして、今後、特に人が密集する飲食店などに置いて、飛沫拡大感染リスクを最小化達成に大きく貢献が出来ると確信している。
【符号の説明】
【００１７】１  マスク本体材質部分
２  隔離レイヤー部
３  透明フェイスシールドを固定フレーム
４  調整器
５  透明保護フェイスシールド
６  コネクティングロッド
７  コネクティングロッドハンドル
８  コネクティングロッド
９  受力固定柱
１０  受力固定柱
１１  紐
１２  マスク内側に定型材料
１３  空間
１４  鼻の位置
１５  粘着材料
１６  受力固定柱
１７  マスク折りたたみ部分
【手続補正２】
【補正対象書類名】実用新案登録請求の範囲
【補正対象項目名】全文
【補正方法】変更
【補正の内容】
【実用新案登録請求の範囲】
【請求項１】
マスク内側の口に当たる周囲の鼻孔の下と唇の上方部間に特別フィルタリング機能付きコンビネーションボードを設けって、（図１参考）鼻部分の露出を遮断する鼻だけを保護する特別構造体にしたマスク。
【請求項２】
着用者の口部分で飛沫やウイルスなど侵入を抑制するため、手動式レバレッジ原理の透明保護フェイスシールドがマスクの耳紐とフィルタリング機能付きコンビネーションボードで固定された板の端に設けた接続ポートに挿入して結合し、一体化にする立体構造のマスク。
【手続補正書】
【提出日】令和3年9月13日(2021.9.13)
【手続補正１】
【補正対象書類名】実用新案登録請求の範囲
【補正対象項目名】全文
【補正方法】変更
【補正の内容】
【実用新案登録請求の範囲】
【請求項１】
マスク内側の口に当たる周囲の鼻孔の下と唇の上方部間に特別隔離レーヤ機能付きコンビネーションボードを鼻部分の露出遮断する鼻だけを保護する特別構造体にしたマスク。
【請求項２】
着用者の口部分に飛沫やウイルスなど侵入を抑制するため、手動式レバレッジ原理の透明保護フェイスシールドがマスクの耳紐と固定された板の端に設ける構造のマスク。